【手続補正書】
【提出日】平成19年12月7日(2007.12.7)
【手続補正１】
【補正対象書類名】明細書
【補正対象項目名】特許請求の範囲
【補正方法】変更
【補正の内容】
【特許請求の範囲】
【請求項１】  ユーザが選択可能な複数のオブジェクトを有するページを表示するためのディスプレイを有するシステムに注釈を付けるためのコンピュータ実施方法であって、前記ユーザが選択可能なオブジェクトにはマークアップタグが混在し、前記ユーザが選択可能な複数のオブジェクトおよび前記マークアップタグはファイルの修正不可能な部分に格納されており、前記マークアップタグにより前記ファイルの中の前記ユーザが選択可能な複数のオブジェクトを区切り、
表示された前記ページ上のユーザが選択可能な複数のオブジェクトの内の１つのオブジェクトについての選択に関するユーザ入力を受け取るステップと、
選択の前記オブジェクトに関する注釈を提供するためのユーザ入力を受け取るステップと、なお、ここで、前記注釈は修正可能であり、
前記選択のオブジェクトを区切る前記マークアップタグを考慮せずに、前記ファイルの修正不可能な部分内の前記１つのオブジェクトの位置を決定するステップと、
前記位置および前記注釈を前記ファイルの修正不可能な部分とは別個に格納するステップと、
その後、前記注釈が選択された時に、前記位置に基づいて前に選択されたオブジェクトにナビゲートするように構成された、前記ディスプレイの位置部分を提供するステップと
を含むことを特徴とするコンピュータ実施方法。
【請求項２】  前記オブジェクトの指定は、スタイラスによるインタラクションを介して受け取ることを特徴とする請求項１に記載のコンピュータ実施方法。
【請求項３】  前記オブジェクトの指定は、マウスによるインタラクションを介して受けとることを特徴とする請求項１に記載のコンピュータ実施方法。
【請求項４】  前記注釈がハイライトであることを特徴とする請求項１に記載のコンピュータ実施方法。
【請求項５】  前記注釈がブックマークであることを特徴とする請求項１に記載のコンピュータ実施方法。
【請求項６】  前記注釈が描画であることを特徴とする請求項１に記載のコンピュータ実施方法。
【請求項７】  前記注釈がテキスト注釈であることを特徴とする請求項１に記載のコンピュータ実施方法。
【請求項８】  前記決定するステップが、
前記ファイルの修正不可能な部分の最初から前記選択されたオブジェクトまでのバイト数をカウントするステップを含むことを特徴とする請求項１に記載のコンピュータ実施方法。
【請求項９】  ユーザが選択可能な複数のオブジェクトを有するページを表示するためのディスプレイを有するシステムに注釈を付けるためのコンピュータ実施方法であって、前記ユーザが選択可能な複数のオブジェクトはファイルの修正不可能な部分に格納されており、
表示された前記ページ上のユーザが選択可能な複数のオブジェクトの内の１つのオブジェクトについての選択に関するユーザ入力を受け取るステップと、
選択の前記オブジェクトに関する注釈を提供するためのユーザ入力を受け取るステップと、
前記ファイルの修正不可能な部分内の前記１つのオブジェクトの位置を決定するステップと、
前記位置および前記注釈を前記ファイルの修正不可能な部分とは別個に格納するステップと、
その後、前記注釈が選択された時に、前記位置に基づいて前に選択されたオブジェクトにナビゲートするように構成されたユーザ選択部分を前記ディスプレイ上に提供するステップと
を備え、
前記決定するステップが、
前記ファイルの修正不可能な部分の最初から、前記表示されたページオブジェクトにおける最初のオブジェクトまでのバイト数をカウントするステップと、
前記表示されたページにおける最初のオブジェクトから前記選択されたオブジェクトまでのバイト数をカウントするステップと、
最初のカウントするステップから得られた数を、次のカウントするステップから得られた数に追加して、前記ファイルにおけるオブジェクトのファイル位置を決定するステップと
を含むことを特徴とするコンピュータ実施方法。
【請求項１０】  前記注釈が前記オブジェクトの注釈であることを特徴とする請求項１に記載のコンピュータ実施方法。
【請求項１１】  その上に格納されたプログラムを有するコンピュータ可読媒体であって、前記プログラムは、ユーザが選択可能であってマークアップタグが混在する複数のオブジェクトを有するページを表示するためのディスプレイを有するシステムと共に使用され、前記ユーザが選択可能な複数のオブジェクトおよび前記マークアップタグはファイルの修正不可能な部分に格納され、前記マークアップタグによりユーザが選択可能な複数のオブジェクトを区切り、前記プログラムは、
前記表示されたページにおける前記ユーザが選択可能な複数のオブジェクトのうちの１つのオブジェクトの選択に関するユーザ入力を受け取るステップと、
選択のオブジェクトに関連する注釈を提供するためのユーザ入力を受け取るステップと、なお、ここで、前記注釈は修正可能であり、
前記選択のオブジェクトを区切る前記マークアップタグを考慮せずに、前記ファイルの修正不可能な部分内の前記オブジェクトの位置を決定するステップと、
前記位置および前記注釈を前記ファイルの修正不可能な部分とは別個に格納するステップと
前記注釈が表示され、その後選択された時に、前記位置に基づいて前に選択されたオブジェクトにナビゲートするように構成された、前記ディスプレイの位置部分を提供するステップと
を含むことを特徴とするコンピュータ可読媒体。
【請求項１２】  前記オブジェクトの前記指定は、スタイラスによるインタラクションを介して受け取ることを特徴とする請求項１１に記載のコンピュータ可読媒体。
【請求項１３】  前記オブジェクトの前記指定は、マウスによるインタラクションを介して受け取ることを特徴とする請求項１１に記載のコンピュータ可読媒体。
【請求項１４】  前記注釈がハイライトであることを特徴とする請求項１１に記載のコンピュータ可読媒体。
【請求項１５】  前記注釈がブックマークであることを特徴とする請求項１１に記載のコンピュータ可読媒体。
【請求項１６】  前記注釈が描画であることを特徴とする請求項１１に記載のコンピュータ可読媒体。
【請求項１７】  前記注釈がテキスト注釈であることを特徴とする請求項１１に記載のコンピュータ可読媒体。
【請求項１８】  前記決定するステップが、
前記ファイルの修正不可能な部分の最初から前記選択されたオブジェクトまでのバイト数をカウントするステップを含むことを特徴とする請求項１１に記載のコンピュータ可読媒体。
【請求項１９】  その上に格納されたプログラムを有するコンピュータ可読媒体であって、前記プログラムは、ユーザが選択可能な複数のオブジェクトを有するページを表示するためのディスプレイを有するシステムと共に使用され、前記ユーザが選択可能な複数のオブジェクトはファイルの修正不可能な部分に格納され、前記プログラムは、
前記表示されたページにおける前記ユーザが選択可能な複数のオブジェクトのうちの１つのオブジェクトの選択に関するユーザ入力を受け取るステップと、
選択のオブジェクトに関連する注釈を提供するためのユーザ入力を受け取るステップと、
前記ファイルの修正不可能な部分内の前記オブジェクトの位置を決定するステップと、
前記位置および前記注釈を前記ファイルの修正不可能な部分とは別個に格納するステップと
その後、前記注釈が選択された時に、前記位置に基づいて前に選択されたオブジェクトにナビゲートするように構成されたユーザ選択部分を前記ディスプレイ上に提供するステップと
を備え、前記決定するステップが、
前記ファイルの修正不可能な部分の最初から、前記表示されたページオブジェクトにおける最初のオブジェクトまでのバイト数をカウントするステップと、
前記表示されたページにおける最初のオブジェクトから前記選択されたオブジェクトまでのバイト数をカウントするステップと、
最初のカウントするステップから得られた前記数を、次のカウントするステップから得られた数に追加して、前記ファイルにおけるオブジェクトのファイル位置を決定するステップと
を含むことを特徴とする請求項１１に記載のコンピュータ可読媒体。
【請求項２０】  前記注釈が前記オブジェクトの注釈であることを特徴とする請求項１１に記載のコンピュータ可読媒体。
【請求項２１】  ユーザが選択可能な複数のオブジェクトを有するページを表示するためのディスプレイを有する電子ブックシステムに注釈を付けるためのコンピュータ実施方法であって、前記ユーザが選択可能な複数のオブジェクトはファイルの修正不可能な部分に格納されており、
前記ユーザが選択可能な複数のオブジェクトの前記ページを表示するための第１の表示部分を提供するステップと、
前記ユーザが選択可能な複数のオブジェクトの内の１つのオブジェクトについての選択に関するユーザ入力を受け取るステップと、
選択の前記オブジェクトに関する注釈を提供するためのユーザ入力を受け取るステップと、
前記ファイルの修正不可能な部分内の前記１つのオブジェクトの位置を決定するステップと、
前記位置および前記注釈を前記ファイルの修正不可能な部分とは別個に格納するステップと、
前記注釈が表示され、その後選択された時に、前記位置に基づいて前に選択されたオブジェクトにナビゲートするように構成された第２の表示部分を前記ディスプレイ上に提供するステップと
を含むことを特徴とするコンピュータ実施方法。
【請求項２２】  電子ブックシステムに注釈をつけるように構成されたコンピュータ装置であって、
プロセッサと、
ディスプレイ画面と、
コンピュータ実行可能命令を格納すると共に、ユーザが選択可能な複数のオブジェクトを有するページを有する電子ブックシステムであって、前記ユーザが選択可能な複数のオブジェクトはファイルの修正不可能な部分に格納されている電子ブックシステムを格納するように構成されたメモリと
を含み、
前記命令は前記コンピュータ装置に、
前記ユーザが選択可能な複数のオブジェクトのページを表示する第１の表示部分を提供するステップと、
表示された前記ページ上に前記ユーザが選択可能な複数のオブジェクトの内の１つのオブジェクトの選択についてのユーザ入力を受け取るステップと、
前記選択の前記オブジェクトに関連する注釈を提供するユーザ入力を受け取るステップと、
前記ファイルの修正不可能な部分中の選択のオブジェクトのファイル位置を決定するステップと、
前記ファイル位置および前記注釈を前記ファイルの修正不可能な部分とは別個に格納するステップと、
前記注釈が表示され、その後選択された時に、前記ファイル位置に基づき前に選択されたオブジェクトにナビゲートするように構成された第２の表示部分を前記ディスプレイ上に提供するステップと
を実行させることを特徴とするコンピュータ装置。